(57)【特許請求の範囲】
【請求項１】
予め敷設した路盤材上に重構造物を載置し、前記重構造物を付勢して所定方向に移動させる重構造物移動装置であって、前記路盤材の側面に沿って移動する平板状の摺動部材と、前記摺動部材の上に載置されて前記摺動部材を収容状態で移動する第１の枠体と、前記第１の枠体に積層される第２の枠体と、前記第２の枠体に収容された状態で前記重構造物を載置する平板状の弾性体と、積層された前記第１及び第２の枠体間に挿入される楔型部及び前記第１の枠体の一端に当接して所定方向に付勢する当接部を設けた押動部材と、前記路盤材の上側板の一端に移動可能に挟み込まれた状態で使用される可動式クランプと、前記押動部材と前記可動式クランプとにそれぞれ前後で連結され動力制御に応じて前記可動式クランプを支点として１ストローク分前記押動部材を付勢する駆動部材と、を備えた重構造物移動装置において、
前記可動式クランプは、平型四角形に形成した鋼材の一側面に楔型の空間を対向するように形成した挿入部が形成され、前記挿入部の表面に前記上側板への食い込みをよくするための鋸歯状の歯が形成されたことにより、前記駆動部材を駆動すると、前記可動式クランプが当初の垂直位置から前記駆動部材の駆動方向と逆方向に傾斜して前記鋸歯状の歯が前記上側板の上側面と下側面とに食い込み固定状態になることを特徴とする重構造物移動装置。
【請求項２】
前記可動式クランプの前記駆動方向と直角な面に、他の可動式クランプと連結する連結シャフトが固定されることを特徴とする請求項１記載の重構造物移動装置。
【請求項３】
前記路盤材が、上下一対の鋼板と、前記鋼板間を連結する連結部とを備えたＨ型鋼であることを特徴とする請求項１記載の重構造物移動装置。
【請求項４】
前記路盤材を構成する上下一対の鋼板間に挿入される板材と、前記板材の一端を溝部に差し込んだ状態で前記板材と前記鋼板との間に圧入される圧入部材とからなる補強部材により、前記路盤材を補強することを特徴とする請求項１記載の重構造物移動装置。
【請求項５】
前記第２の枠体の突状枠部と前記平板状の弾性体との間に所定間隔の隙間が形成されていることを特徴とする請求項１記載の重構造物移動装置。
【発明の詳細な説明】
【技術分野】
【０００１】
本発明は、例えばビルディングや家屋、更に橋梁等の重構造物を移動させる際に用いて好適な重構造物移動装置に関するものである。
【背景技術】
【０００２】
ビルディングや橋梁等の重構造物を移動させる場合、従来は重構造部の重量を舟板鉄板、サンドル、楔、なじみ板からなる転動装置を介して、図１０に示すように路盤材３１上に適宜間隔で配設したコロ棒３２に伝えていた。なお、路盤材３１は鉄道用レール等の所謂Ｈ型鋼であり、この路盤材３１を構成する上側板３１ａにレールクランプや推進ジャッキ（何れも図示せず）が設けられ、レールクランプを支点として構造物荷重から反力をとり、推進ジャッキにより重構造物を押すことでコロ棒３２を回転させ、重構造物を移動させていた。
【発明の開示】
【発明が解決しようとする課題】
【０００３】
上記したような従来の重構造物移動装置にあっては、ジャッキストロークに合わせてレールクランプの盛り替え、移動量に合わせたコロ棒の盛り替えが必要になる。レールクランプの盛り替えには、ジャッキストロークの寸法合わせ、楔の外し、レールクランプの移動、楔の打ち込み作業等が必要になる。
また、コロ棒の盛り替えを行うため、移動量に合わせて常時作業員が監視を行う必要がある。
一方、移動経路を構成する路盤材として、汎用性の少ない鉄道用レールが用いられることが多いが、その設置時には不陸や誤差が生じる。また、コロ棒３２は、本来は図１２に実線で示すように路盤材３１に対し直交するように配設されるのであるが、移動中に想像線で示すように位置ずれしたり、甚だしい場合には脱落することもある。このようなコロ棒３２の向きのずれ、荷重の掛かり方の違いによって、或いは他の移動装置との押し方の違いから偏心力が働き、移動装置同士が競り合う現象が発生することがある。
【０００４】
本発明は、前記のような問題点に鑑みてなされたものであり、その目的は、路盤材に移動可能に固定される可動式クランプ、重構造物を載置した状態で押動する押動部材、押動部材を付勢する駆動部材等を連結して重構造物を連続的に移動させるように構成した重構造物移動装置を提供することにある。
【課題を解決するための手段】
【０００５】
本発明の目的は、下記構成により達成される。
予め敷設した路盤材上に重構造物を載置し、前記重構造物を付勢して所定方向に移動させる重構造物移動装置であって、前記路盤材の側面に沿って移動する平板状の摺動部材と、前記摺動部材の上に載置されて前記摺動部材を収容状態で移動する第１の枠体と、前記第１の枠体に積層される第２の枠体と、前記第２の枠体に収容された状態で前記重構造物を載置する平板状の弾性体と、積層された前記第１及び第２の枠体間に挿入される楔型部及び前記第１の枠体の一端に当接して所定方向に付勢する当接部を設けた押動部材と、前記路盤材の上側板の一端に移動可能に挟み込まれた状態で使用される可動式クランプと、前記押動部材と前記可動式クランプとにそれぞれ前後で連結され動力制御に応じて前記可動式クランプを支点として１ストローク分前記押動部材を付勢する駆動部材と、を備えた重構造物移動装置において、前記可動式クランプは、平型四角形に形成した鋼材の一側面に楔型の空間を対向するように形成した挿入部が形成され、前記挿入部の表面に前記上側板への食い込みをよくするための鋸歯状の歯が形成されたことにより、前記駆動部材を駆動すると、前記可動式クランプが当初の垂直位置から前記駆動部材の駆動方向と逆方向に傾斜して前記鋸歯状の歯が前記上側板の上側面と下側面とに食い込み固定状態になることを特徴とする重構造物移動装置。
また、前記可動式クランプの前記駆動方向と直角な面に、他の可動式クランプと連結する連結シャフトが固定されることを特徴とする重構造物移動装置。
また、前記路盤材が、上下一対の鋼板と、前記鋼板間を連結する連結部とを備えたＨ型鋼であることを特徴とする重構造物移動装置。
また、前記路盤材を構成する上下一対の鋼板間に挿入される板材と、前記板材の一端を溝部に差し込んだ状態で前記板材と前記鋼板との間に圧入される圧入部材とからなる補強部材により、前記路盤材を補強することを特徴とする重構造物移動装置。
また、前記第２の枠体の突状枠部と前記平板状の弾性体との間に所定間隔の隙間が形成されていることを特徴とする重構造物移動装置。
【０００６】
前記重構造物移動装置によれば、路盤材に移動可能に固定された可動式クランプに連結された駆動部材が動作し、駆動部材に連結された押動部材が第１の枠体を所定方向に付勢する。また、第１の枠体には路盤材に沿って摺動する平板状の摺動部材が設けられ、これに第２の枠体に収納された弾性材が積層され、その上部に重構造物が載置される。
従って、第１の枠体を付勢することにより、可動式クランプを支点として重構造物を路盤材に沿って移動させることができる。
【０００７】
前記路盤材は、上下一対の鋼板と、前記鋼板間を連結する連結部とを備えたＨ型鋼であることを特徴とする重構造物移動装置。
【０００８】
前記構成によれば、敷設時に上側となる側板に可動式クランプを容易に固定することができる。
【０００９】
前記駆動部材は、前記路盤材の一端に着脱自在に固定される可動式クランプに連結され、且つ可動式クランプを支点として油圧制御により伸縮するオイルジャッキであることを特徴とする重構造物移動装置。
【００１０】
前記構成によれば、オイルジャッキは可動式クランプを支点として重構造物を移動させることができ、可動式クランプとオイルジャッキとは一体に移動、位置決めを行うことができる。
【００１１】
前記路盤材を構成する上下一対の鋼板間に挿入される板材と、前記鋼板材の一端を溝部に差し込んだ状態で前記板材と前記鋼板との間に圧入される圧入部材とからなる補強部材により、前記路盤材を補強することを特徴とする重構造物移動装置。
【００１２】
前記構成によれば、板材の一端を圧入材に形成した溝部に差込み、次いで上下一体の鋼板間に挿入し、圧入部材を打ち込むことにより路盤材を補強することができる。
【００１３】
前記第２の枠体の突状枠部と前記平板状の弾性体との間に所定間隔の隙間が形成されていることを特徴とする重構造物移動装置。
【００１４】
前記構成によれば、重構造物のずれ等により平板状の弾性体が移動しても、突状枠部からはみ出したり、抜け落ちたりすることがなく、重構造物の移動中に作業員が監視したり、手直しする手間を省くことができる。
【発明の効果】
【００１５】
以上に説明したように、本発明によれば、路盤材に移動可能に固定された可動式クランプと駆動部材である油圧ジャッキ、油圧ジャッキと押動部材とは連結し、押動部材によって重構造体を載置した第１の枠体が付勢される。第１の枠体には路盤材の側面に沿って摺動部材が固定されるとともに、第１の枠体上には第２の枠体が積層され、第２の枠体には重構造物を載置する弾性材が設けられている。従って、油圧ジャッキを駆動することにより、可動式クランプを支点として重構造物が路盤材上を移動する。
コロ棒等は不要であり、移動作業中における作業員の監視、手直し作業が不要になり、重構造物を円滑に且つ効率よく移動させることができる。
また、油圧ジャッキの１ストローク分を移動した後、可動式クランプの位置を替えるのであるが、油圧ジャッキ等と連結しているので、位置決め及び固定作業が容易であり、作業時間の短縮、作業人員の削減を図ることができる。
更に、摺動部材、弾性材の採用により、不陸、水平方向の誤差、偏心応力を最小限に抑えることができる。
また、移動予定距離完了後の横方向の微調整も容易になる等の種々の効果を奏する。
【発明を実施するための最良の形態】
【００１６】
以下、本発明に係る実施形態を図面に基づいて詳細に説明する。図１は本発明の実施形態である重構造物移動装置の全体構成を示す側面図、図２は重構造物移動装置の要部構成を示す断面図、図３は重構造物移動装置の構成を示す要部の平面図、図４は第１の枠体の構成を示す要部の断面図、図５は第１及び第２の枠体の積層構造を示す要部の断面図、図６は第２の枠体の構成を示す平面図、図７は可動式クランプの構成を示す斜視図、図８は補強部材の構成を示す斜視図、図９は補強部材の固定方法を示す斜視図であり、図１０は従来技術を説明するための図である。
【００１７】
先ず、図１〜図３を参照して本実施形態における重構造物移動装置１（以下、単に移動装置１と略称する）の構成を説明する。
移動装置１は、予め敷設した路盤材２上に重構造物３を載置した状態で、所定方向、例えば矢印Ａ方向に移動させるものである。なお、路盤材２としては、図２に示すようにＨ型鋼が適用され、敷設本数は重構造物３の大きさや重量によって自在に変更される。重構造物３はビルディングや橋梁等であり、ときには７０００ｔもの重量の構造物を移動させることがある。
重構造物３を移動させる場合、駆動部材である油圧ジャッキ５を油圧制御により駆動して、路盤材２の上側板２ａの一端に移動自在に固定された可動式クランプ６を支点として、重構造物３を矢印Ａ方向に押動する。
【００１８】
即ち、移動装置１の全体構成は図１〜図３に示されているが、以下に図４〜図６を参照して要部の構成を説明する。
路盤材２を構成する上側板２ａの上側面に、本発明でいう平板状の摺動部材１１が配設されているが、摺動部材１１は長手状の第１の枠体１２内に固定されている。枠体１２は、図４に示すように中央部に長手方向に凹部が形成され、その内部に摺動部材１１が嵌め込まれている。なお、摺動部材１１の横幅Ｗは、上側板２ａの幅Ｗ１、枠体１２の内幅Ｗ２の何れよりも小になっている。但し、図５に示すように、摺動部材１１の長さＬは、枠体１２の略全長にわたっているが、両端部は枠体１２の両端部１２ａにより覆われている。
【００１９】
枠体１２の上部には、押動部材１３の楔部１３ａが位置し、その上部に第２の枠体１４が位置決めされ、第２の枠体１４内には平板状の弾性材１５が収納されている。第２の枠体１４は、図５及び図６に示すように、底の浅いトレー形状に形成され、その内部に平板状の弾性材１５が収納されている。但し、弾性材１５は、枠体１２の内部全体を覆う大きさではなく、図２、図５、図６からわかるように枠体１４の突状枠部１４ａとの間に隙間Ｇが形成されている。従って、図６に想像線で示したように、重構造物３の移動中に摩擦等により位置ずれすることがあるが、突状枠部１４ａに当たって位置規制され、移動中における抜け落ちや滑り落ちを防止できるように構成されている。
【００２０】
次に、可動式クランプ６について説明する。
可動式クランプ６は、図１に実線でまた図７に想像線で示したように上側板２ａに挟み込まれた状態で使用される。可動式クランプ６は、鋼材を平型四角形に形成したものであり、一側面に楔型の空間を対向するように形成した挿入部６ａが形成され、その表面には上側板２ａへの食い込みをよくするために鋸歯状の歯型６ｂが形成されている。また、可動式クランプ６には、他の可動式クランプと連結する連結シャフト２１が固定され、側面に形成された突起には油圧ジャッキ５を連結するための連結シャフト２２が固定されている。なお、連結シャフト２１による可動式クランプ６同士の連結状況と、連結シャフト２２による油圧ジャッキ５との連結状況は図３に示されている。
【００２１】
そして、可動式クランプ６を上側板２ａに取り付ける場合は、挿入部６ａに上側板２ａを差し込むだけでよいのであるが、図３のように組み立てた状態で油圧ジャッキ５を駆動すると、当初は矢印Ｘの位置にあったものが、矢印Ｙに示すように傾斜し、歯６ｂが上側板２ａの上側面と下側面とに食い込み固定状態になる。
従って、油圧ジャッキ５による加圧が強くなるほど、言い換えれば重構造物３が重いほど強く食い込み、重構造物３を確実に押動できるようになる。
【００２２】
次に、補強部材７について説明する。
補強部材７は、図８及び図９に示すように、台形状の板材７ａと圧入部材７ｂとにより構成されている。板材７ａは図８に矢印Ｂで示すように上側板２ａと下側板２ｂとの間に縦方向に差し込まれるものであり、縦方向の寸法は上下側板２ａ，２ｂ間の寸法よりやや小に設定されている。また、板材７ａの上端部の両側には、板材７ａの変形を防止する補強板７ｃが溶接等により一体に設けられている。
【００２３】
一方、圧入部材７ｂは一辺が水平で他辺が傾斜した形状のものであり、長手方向に傾斜した溝部７ｄが形成されている。そして、補強部材７により路盤材２を補強する場合は、図９に示すように先ず板材７ａを上下側板２ａ，２ｂ間に差し込み、次に板材７ａの下端に形成した傾斜部７ｅを圧入部材７ｂの溝部７ｄに差し込み、この状態で圧入部材７ｂをハンマー等で矢印Ｃ方向に打ち込んで固定する。
前記補強部材７の固定は、上下側板２ａ，２ｂの両側において、適宜間隔で行われる。この結果、図１及び図２に示すように、上下側板２ａ，２ｂは両側から適宜間隔で補強されることになり、上側板２ａに重構造物３の重量が掛かった場合の撓みや変形を防止できる。
【００２４】
次に、移動装置１の作用を説明する。
可動式クランプ６は、前記のように路盤材２に固定され、対構造の可動式クランプ６は図３に示すように連結シャフト２１により連結される。
【００２５】
そして、図１に示すように移動装置１を組み立てて油圧ジャッキ５を駆動すると、図７を参照して説明したように可動式クランプ６が傾斜し、歯型６ｂが上側板２ａに食い込んで固定状態になる。
この状態で油圧ジャッキ５を駆動すると、可動式クランプ６を支点として押動部材１３を矢印Ａ方向に押すようになる。押動部材１３の下端は、図１及び図３に示ように第１の枠体１２の端部に当接している。従って、第１の枠体１２と摺動部材１１が一体に矢印Ａ方向に移動し、第２の枠体１４、弾性材１５を介して重構造物３を移動させる。
【００２６】
重構造物３の移動中、摺動部材１１は上側板２ａの表面を円滑に滑り、弾性材１５は重構造物３を安定に保持する。この際、移動方向のずれ等により弾性材１５が移動することがあるが、突状枠部１４ａによってはみ出したり、抜け落ちたりすることがない。
従って、作業員の監視作業、手直し作業を削減することができ、移動作業を効率的に行うことができる。
【００２７】
なお、前記摺動部材１１としては、ＭＣナイロン（日本ポリペンコ株式会社の商標名）が好適であるが、耐熱性、引張強度、摺動性等に優れたものであれば、利用可能である。
【図面の簡単な説明】
【００２８】
【図１】本発明の第１実施形態を示す重構造物移動装置の側面図である。
【図２】重構造物移動装置の構成を示す断面図である。
【図３】重構造物移動装置の構成を示す平面図である。
【図４】第１の枠体の構成を示す断面図である。
【図５】押動部材の構成を示す側面図である。
【図６】第２の枠体の構成を示す平面図である。
【図７】可動式クランプの構成を示す斜視図である。
【図８】補強部材の構成を示す斜視図である。
【図９】補強部材の取り付けを示す斜視図である。
【図１０】移動中のコロ棒の形態を示す平面図である。
【符号の説明】
【００２９】
１  重構造物移動装置
２  路盤材
３  重構造物
５  油圧ジャッキ
６  可動式クランプ
７  補強部材
１１  摺動部材
１２  第１の枠体
１３  押動部材
１４  第２の枠体
１５  弾性体
２１  連結シャフト
２２  連結シャフト
２３  連結シャフト
【図１】
0004579118.tif 000002
【図２】
0004579118.tif 000003
【図３】
0004579118.tif 000004
【図４】
0004579118.tif 000005
【図５】
0004579118.tif 000006
【図６】
0004579118.tif 000007
【図７】
0004579118.tif 000008
【図８】
0004579118.tif 000009
【図９】
0004579118.tif 000010
【図１０】
0004579118.tif 000011